(57)【要約】      （修正有）【課題】単純で歩留まりが良い設計でありながら強度を維持し、搬送時の収納スペースも小さくでき、店舗での吊り下げ作業も容易な紙製の商品吊下具を提供する。【解決手段】商品を商品陳列棚の支持棒に吊り下げて販売する際に用いられる商品吊下具１０であり、一枚又は複数重ねた平板状の紙製の被加工素材としての原反から抜き型で外形１１とその外形１１の内側部分とを同時に切り抜き又は切り出し加工される。商品吊下具１０は、外形１１の上縁部の中間部から内側下方に延びてから先端に向かって左右一方側に湾曲又は屈曲して延びる湾曲又は屈曲する溝状の陳列部材への吊下用切抜部１２と、外形１１の吊下用切抜部１２以外の部分に左右対称に設けられる商品の引掛部１３とを備えており、吊下用切抜部１２の先端は左右方向の重心位置に設けられる。【選択図】図１
0003233189.tif 000002
【実用新案登録請求の範囲】
【請求項１】
一枚又は複数重ねた平板状の紙製の被加工素材としての原反から抜き型で外形とその外形の内側部分とを同時に切り抜き又は切り出し加工された商品吊下具であって、
前記外形の上縁部の中間部から内側下方に延びてから先端に向かって左右一方側に湾曲又は屈曲して延びる溝状の陳列部材への吊下用切抜部と、
前記外形の前記吊下用切抜部以外の部分に左右対称に設けられる商品の引掛部とを備え、
前記吊下用切抜部の先端は、左右方向の重心位置に設けられる、商品吊下具。
【請求項２】
前記外形は、角部にＲ形状を設けた長方形状を形成する、請求項１に記載の商品吊下具。
【請求項３】
前記吊下用切抜部は、前記外形の上縁部を開放して先端部で閉鎖された略同幅の溝形状で形成される、請求項１又は２に記載の商品吊下具。
【請求項４】
前記引掛部は、前記外形の下縁部、側部及び／又は上縁部から内側に切り抜かれた又は切り出された形状を有する、請求項３に記載の商品吊下具。
【請求項５】
前記引掛部は、前記外形の上縁部に位置する、請求項３に記載の商品吊下具。
【請求項６】
前記吊下用切抜部と前記引掛部との前記原反の縁部側の近接する部分は、切り抜かれて互いに繋がって開放される形状を有する、請求項３に記載の商品吊下具。
【考案の詳細な説明】
【技術分野】
【０００１】
本考案は、被服や雑貨等の商品を陳列販売する際に用いられる紙製の商品吊下具に関し、特にプレス加工等による切り抜き・切り出すだけで平板状の紙から陳列棒への吊下部や商品の引掛部を作成した商品吊下具に関するものである。
【背景技術】
【０００２】
従来より、スーパーや百貨店等の店頭において被服や雑貨等の商品を吊り下げて販売したり、保管したりするときに、硬質プラスチック製等の樹脂製のハンガーや吊下具が広く使用されている。一般に樹脂製のハンガーや吊下具は、金型を用いて射出成型により作成しており、低コストで大量生産できる点、可撓性を有しながらある程度の強度を有するものを多様な形で形成できる点で有利である。その一方、例えば樹脂製のハンガーは、ハンガー自体に厚みがあり嵩張るため、収納や運搬時のコストが嵩む点で問題があった。また、金型を作成して射出成形する場合、特に小ロッド生産の場合、その都度、金型作成時間及びコストが嵩むという問題もあった。
【０００３】
また、環境負荷を考慮して樹脂製の商品吊下具にも再生可能素材の使用が推奨されるがコスト削減が難しい点や再生可能素材の透明性が確保し難い点、店舗や納入業者の要求スペックに応えるのが難しい点等から普及が進んでいないという実状があり、近年では、プラスチック等の樹脂製吊下具に代替える所謂脱プラスチックとして特許文献１〜５のような、紙製の吊下具が種々提案されている。
【０００４】
一方、紙製の吊下具は樹脂に比べて一旦、折れ曲がると樹脂のような復元性がないため商品陳列棒への吊下部や商品の引掛部が細幅形状や突出形状になっている場合、補強箇所が必要になることがある。また、紙を折り畳んで重ねることで補強することも考えられるが、補強後に運送すると嵩張るため運搬コストが嵩むこととなり、店舗での折り曲げ工程を要求すると店員負担や折り間違いによる人件費増加や廃棄物増加を招くため採用され難い。また、細幅形状や突出形状を含む複雑な形状を採用するとシート状の紙素材の歩留まりが悪く、別途、細幅形状や突出形状を接着することとしても背反して製造時のコストが嵩み、強度面の低下や厚み増加による運搬コストが嵩む問題が生じることとなる。
【先行技術文献】
【特許文献】
【０００５】
【特許文献１】特開2008-229268号公報
【特許文献２】特開2006-254936号公報
【特許文献３】特開2002-199979号公報
【特許文献４】特開2002-199979号公報
【特許文献５】特開平11-225867号公報
【考案の開示】
【考案が解決しようとする課題】
【０００６】
以上のような従来の商品吊下具の問題に鑑みて本考案は創作されたものであり、単純で歩留まりが良い作成工程でありながら強度を維持し、搬送時の収納スペースも小さくできるとともに、店舗での吊り下げ作業も容易な紙製の商品吊下具を提供することを目的とする。
【課題を解決するための手段】
【０００７】
上記目的を達成するために本考案は、一枚又は複数重ねた平板状の紙製の被加工素材としての原反から抜き型で外形とその外形の内側部分とを同時に切り抜き又は切り出し加工された商品吊下具であって、
前記外形の上縁部の中間部から下方に延びてから先端に向かって左右一方側に湾曲又は屈曲して延びる溝状の陳列部材への吊下用切抜部と、
前記外形内の前記吊下用切抜部以外の部分に左右対称に設けられる商品の引掛部とを備え、
前記吊下用切抜部の先端は、左右方向の重心位置に設けられる。
【０００８】
本発明の商品吊下具は、紙製の平板を抜き型でプレス加工して切り抜くことで作成され、引掛部に商品を引っ掛けた状態で吊下用切抜部に陳列棒等の陳列部材を挿入して吊り下げるものである。上述したように従来の商品吊下具のような樹脂素材から作成するものと異なり、本商品吊下具では紙製の被加工素材としての原反から抜き型で平板状の外形を切り抜き、このとき同時に同じ抜型でその外形から吊下用切抜部及び引掛部を内側に切り抜く又は切り出すだけで商品吊下具を作成している。したがって、紙製であるため所謂脱プラスチックの要請に沿うことができる。また、本商品吊下具では原反から略長方形等のような変曲点を有しない連続的な輪郭（外形）を切り抜き、このとき同時に単純な形状の外形から内側に吊下用切抜部等を切り抜いて作成するため従来、型を用いた射出成形で作成できなかった紙製の商品吊下具でも抜き型１回のプレス加工で容易に準備することができる。加えて本商品吊下具は、原反から単純な形状に設計された外形を切り抜くときに同時にその外形の内側に入る形状の吊下用切抜部等を切り抜くことを採用するため、細幅部や突出部のような補強箇所が形成されることもなく、かつ作成工程も容易で歩留まりも良好である。したがって、実用的視点においても脱プラスチックにおける代替製品を提供するという観点でも有利である。さらに、本商品吊下具では吊下用切抜部の先端が切り抜かれた外形の重心位置まで延びており、吊下用切抜部に沿わせて商品陳列棒を上方から挿入するだけで落下を防止でき、吊り下げた際に重心に商品陳列棒が位置決めされるため左右に傾斜することなく商品を陳列することができる。
【０００９】
また、前記外形は、角部にＲ形状を設けた長方形状を形成することが好ましい。原反から抜き型で切り抜く外形は、外側に突出する部がない単純な形状に設計するが、歩留まりを考慮すると代表的には長方形状が好ましい。この外形を選択した場合でも損傷防止及び補強のためその角部にＲ形状を設けている。
【００１０】
また、前記吊下用切抜部は、前記外形の上縁部を開放して先端部で閉鎖された略同幅の溝形状で形成することが好ましい。
【００１１】
本商品吊下具によれば、陳列棒等が外形の上縁部から挿入し、吊下用切抜部をガイドとして沿わせていくだけで安定した商品吊り下げを可能な位置・構成の先端部に位置決めすることができる。
【００１２】
また、具体的に前記引掛部は、前記外形の下縁部、側部及び／又は上縁部から内側に切り抜かれた又は切り出されたものである。
その他、前記引掛部は、前記外形の上縁部に位置しても良い。
【００１３】
本商品吊下具に被服や雑貨等の商品を吊り下げる引掛部は、原反から切り抜かれる単純な形状の外形下縁部、側部や上縁部から内側に切り抜く設計をするだけで作成することができ、突出部もないため歩留まりも良く、搬送時の収納も省スペース化できる点で有利である。また、吊り下げることを企図する商品に応じて引掛部を複数の場所に設けて組み合わせることもでき、重量バランスを調整することも容易である。さらに、外形から引掛部を切り抜かず、抜き型で単純な外形を抜き出すだけとし、外形の上縁部を引掛部の代替えとして機能させることも可能である。
【００１４】
さらに、前記吊下用切抜部及び前記引掛部における前記外形の縁部側の近接する部分は、切り抜かれて互いに繋がって開放される場合もある。
【００１５】
この場合、前記吊下用切抜部及び前記引掛部それぞれの根元側（前記原反の縁部側）をつながるように設計することで、作成された商品用吊下具の損傷を防止し、強度を担保している。
【考案の効果】
【００１６】
本考案の商品用吊下具によれば、単純で歩留まりが良い設計でありながら強度を維持し、搬送時の収納スペースも小さくでき、さらに店舗での吊り下げ作業も容易な紙製の商品吊下具が提供される。
【図面の簡単な説明】
【００１７】
【図１】本考案の商品吊下具の第一の実施形態を示す平面図である。
【図２】本考案の商品吊下具の第二の実施形態を示す平面図である。
【図３】本考案の商品吊下具の第三の実施形態を示す平面図である。
【図４】本考案の商品吊下具の第四の実施形態を示す平面図である。
【図５】本考案の商品吊下具の第五の実施形態を示す平面図である。
【図６】本考案の商品吊下具の第六の実施形態を示す平面図である。
【図７】本考案の商品吊下具の第七の実施形態を示す平面図である。
【図８】本考案の商品吊下具の第八の実施形態を示す平面図である。
【図９】本考案の商品吊下具の第九の実施形態を示す平面図である。
【図１０】本考案の商品吊下具の第十の実施形態を示す平面図である。
【図１１】本考案の商品吊下具の第十一の実施形態を示す平面図である。
【図１２】本考案の商品吊下具の第十二の実施形態を示す平面図である。
【図１３】本考案の商品吊下具の第十三の実施形態を示す平面図である。
【考案を実施するための形態】
【００１８】
≪本考案の実施形態の例示≫
本考案の商品用吊下具の実施形態例について図１〜図１３を参照しつつ以下、説明する。
【００１９】
本考案の商品吊下具は、厚紙やバルカナイズドファイバーを含む紙製であり、まず、被加工素材である薄いシート部材（平板部材）の原反から抜き型（所謂トムソン抜き加工又はピク抜き加工）により外形（本明細書では、商品用吊下具の概ねの輪郭を「外形」と称する。）を切り抜きする設計がなされている。例えば、図１は、本考案の商品吊下具の一例としての本商品吊下具１０を平面方向から見た略図を示しており（本商品吊下具１０は薄い平板部材であるため他視点の図面は省略する）、原反から抜き出された外形は図１の本商品吊下具１０の外形（原反１１から抜き出された単純な形状の輪郭である実線部１１ａ及び点線部１１ｂ）のように概ね変曲しない連続的な輪郭で設計される。なお、ここで言う「変曲しない連続的な輪郭（外形）」とは、Ｒ形状の角部を有する場合も含めた図１〜図１３の長方形状等の矩形状や凹凸輪郭のない直線もしくは曲線の一辺で囲んだ又はこのような辺を主要な辺として囲んだ形状であり、原反から抜き型で切り抜くことが容易で歩留まりの良い輪郭形状を意味している。また、原反から抜き出される外形は、要求強度に応じて厚紙一枚から切り出すように設計される場合や予め複数枚合紙した１枚のシート状の被加工素材から切り出すように設計される場合が考えられる。
【００２０】
《第一の実施形態》
上記を前提として、まず、第一の実施形態である商品吊下具１０について図１を参照しつつ説明する。上述したように本商品吊下具１０では、原反から抜き型により切り抜かれる概ねの外形１１が実線部１１ａ及び点線部１１ｂの辺で囲まれた左右方向に長い略長方形状であることがわかる。抜き型から切り抜かれる際に、この外形１１の四隅の角部にはＲ形状が設けられている（後述の図２〜図１３の商品吊下具も同様）。  
【００２１】
次に、原反から抜き型により外形１１を切り抜くと同時に外形１１の内側に吊下用切抜部１２と引掛部１３とが切り抜かれている。吊下用切抜部１２は、その根元部１２ａが外形１１の上縁部の左右方向の中間部（この例では外形１１の中心線Ｘ−Ｘの左側）から下方に所定距離延びながら連続する途中の中間部１２ｂが右方向に曲がって最下点を経由して再び上昇して先端部１２ｃまで延びる略同幅の下半円弧形状を形成している。先端部１２ｃは、根元部１２ａや中間部１２ｂの幅より大きな直径であり、外形１１の中心線Ｘ−Ｘ上を中心点１４とする略円形を形成している。このように外形１１の切り抜きと同時に外形１１の縁部から内側に通常のハンガーと上下逆の類似形状を切り抜くことで１回の工程で吊下用切抜部１２を容易に切り抜くことができ、その根元部１２ａ〜先端部１２ｃに沿って商品の陳列部材（以下、単に「陳列棒等」と称することもある。）を挿入していくことで商品を吊り下げることができる。
【００２２】
また、本商品吊下具１０及びこれに吊り下げられる商品の自重は吊下用切抜部１２周囲の外形１１やその内側の応力集中しない部分が受けることになるため薄い紙製であっても強度を維持することができる。さらに、先端部１２ｃは略円形であるため陳列棒に吊り下げ展示している際に陳列棒周りにスムーズな揺動回転をすることができ、この点でも有利である。
【００２３】
一方、外形１１の縁部の下方内側では左右方向に長い略長方形状（帯状）の引掛部１３が切り抜かれている。この引掛部１３内に主としてタオルやスカーフ等の帯状生地や細長形状の雑貨を挿入し、外形１１の下部１１ｃに引掛けて吊り下げるのに用いる。
【００２４】
《第二の実施形態》
次に、第二の実施形態である商品吊下具２０について図２を参照しつつ説明する。商品吊下具１０と同様に本商品吊下具２０では、抜き型により切り抜かれた外形２１が実線部２１ａ及び点線部２１ｂの辺で囲まれた左右方向に長い略長方形状を形成することがわかる。 
【００２５】
また、切り抜かれた外形２１は、同時に吊下用切抜部２２と引掛部２３とが切り抜き・切り込まれている。吊下用切抜部２２は、図１の吊下用切抜部１２と同様にその根元部２２ａが外形原反２１の上縁部の左右方向の中間部から下方に延びながら途中の中間部２２ｂが右方向に曲がって最下点を経由して再び上昇して外形２１の左右中心に位置する先端部２２ｃまで略同幅で延びる下向きの山形形状を形成している。商品吊下具２０は、図１の商品吊下具１０同様に、外形２１から通常の山形形状のハンガーと上下逆の類似形状を切り抜くことで簡単な作成工程で根元部２２ａ〜先端部２２ｃに沿って商品の陳列棒等を挿入していくことで商品を吊り下げることができ、商品吊下具２０及びこれに吊り下げられる商品の自重を吊下用切抜部２２周囲の外形２１の内側部分が広く受けて強度を維持しており、先端部２２ｃが陳列棒周りのスムーズな揺動回転を可能としている。
【００２６】
また、外形２１の下方では左右両側それぞれに引掛部２３が切り抜き・切り込まれている。各引掛部２３はそれぞれ左右対称であり、例えば図２左側の引掛部２３では外形２１の下方を中央部を下方に凸の略二等辺三角状の中央部２１ｃ１とその底角より高く頂部より低い高さを有する両側部２１ｃ２とを形成するように切り抜かれ、さらに同時に中央部２１ｃ１と両側部２１ｃ２との境界に凹み部２３ｃが切り抜かれ、その上頂部から内側斜め上方に直線上に所定離の切込部２３ｂが切切り抜き抜き・切り込まれている。この引掛部２３の切込部２３ｂに衣服の肩紐等を挿入して挟ませることで衣服等を引っ掛けて吊り下げるのに用いる。
【００２７】
《第三の実施形態》
また、第三の実施形態である商品吊下具３０について図３を参照しつつ説明する。商品吊下具１０，２０と同様に本商品吊下具３０では、原反から抜き型により切り抜かれた外形３１が実線部３１ａ及び点線部３１ｂの辺で囲まれ、左右方向の中心の幅が大きく左右両外側に向かって幅狭になるように設計された輪郭形状であることがわかる。 
【００２８】
また、同時に外形３１から吊下用切抜部３２と引掛部３３とが切り抜き・切り込まれている。吊下用切抜部３２は、図１の吊下用切抜部１２と略同様の位置、形状、機能を有している。なお、ここでは設計概念の便宜上、外形３１が示されているが実際には１回の抜き型によるトムソン抜き工程で外形３１と吊下用切抜部３２と引掛部３３とが切り抜かれるため、設計概念上の外形３１は図２のように略長方形状として捉えて、吊下用切抜部３２と引掛部３３とを追加で切り抜いていると考えても良い。この点、図１〜図１３に示す商品吊下具は全て同様であり、いかに原反を歩留まり良く切り抜くかで適宜設計される。また、外形３１の下部３１ｃでは左右両側部から中心側に向かって左右対称に４対の引掛部３３が切り抜かれており、主としてショーツを引っ掛けるものとして使用される。図３の左右最外部の第一引掛部３３ａ１は、それぞれ外形３１の左右両側部を内側に切り抜いた凹み部を形成する。第一引掛部３３ａ１より中心側には外から内に向かって順に同形状３対の第二引掛部３３ａ２，第三引掛部３３ａ３，第四引掛部３３ａ４が設けられ、それぞれにショーツサイズや展示時の折り方に適用できるようになっている。例えば、第二引掛部３３ａ２は、それぞれ原反外形の下縁部から上方に向かう根元部３３ｂと、根元部３３ｂから斜め上方外側に屈曲して根元部３３ｂより幅広い先端部３３ｂとで形成されており、ショーツ等の両側部を引っ掛けて固定する。
【００２９】
《第四の実施形態》
また、第四の実施形態である商品吊下具４０について図４を参照しつつ説明する。本商品吊下具４０では、商品吊下具１０，３０と略同様に抜き型により切り抜かれた外形４１が実線部４１ａ及び点線部４１ｂの辺で囲まれ、左右方向の中心の幅が少し大きい略帯形状の外形であることがわかる。  
【００３０】
同時に外形４１から吊下用切抜部４２と引掛部４３とが切り抜きかれている。吊下用切抜部４２は、図１の吊下用切抜部１２と略同様の位置、形状、機能を有している。引掛部４３は、主としてショーツを引っ掛けることに用いられ、外形４１の下部４１ｃにおいて図１の引掛部１３と同様の左右方向に長く切り抜かれた溝形状を形成する第一引掛部４３ａと、第一引掛部４３ａの下方で左右方向に長く中央近傍が原反４１の下縁部で開放するよう切り抜かれている第二引掛部４３ｂと、で構成されている。さらに詳細には第一引掛部４３ａは、溝の上内縁部の中央近傍が大きな曲率の下円弧状に突出し、第二引掛部４３ａの内上縁部も同様に下円弧状に突出する。第二引掛部４３ａの内上縁部の突出量は第一引掛部４３ａの内上縁部より大きく、その内下縁部を超えて開放部にまで至っている。
【００３１】
《第五の実施形態》
また、第五の実施形態である商品吊下具５０について図５を参照しつつ説明する。図３の商品吊下具３０と類似して本商品吊下具５０では、抜き型により切り抜かれた外形５１が実線部５１ａ及び点線部５１ｂの辺で囲まれ、左右方向の中心の幅が大きく左右両外側に向かって幅狭になっており、ここでは下縁部の中央に上円弧状の凹みを有する輪郭形状であることがわかる。なお、 外形５１は一枚の紙又は複数枚の紙を合紙したシート状から抜き出される変曲部が少ない比較的簡単な形状であり、その外形３１に複雑な形状の吊下用切抜部５２及び引掛部５３を同時に切り抜いていることになる。
【００３２】
また、外形５１の切り抜きと同時に外形５１より内側に吊下用切抜部５２と引掛部５３とを切り抜き・切り込んでいる。吊下用切抜部５２は、図１、図３等の吊下用切抜部１２、３２と略同様の位置、形状、機能を有している。また、外形５１の上縁部の左右方向両側には互いに左右対称に１対の引掛部５３が切り抜かれている。各引掛部５３は、その根元部５２ａが原反５１の上縁部から下方に延びて途中の中間部５３ｂで外側に屈曲して幅を拡大しながら先端部５３ｃまで延びる形状を有している。この引掛部５３に主として被服インナーの肩紐や袖部を引っ掛けて吊り下げるように用いられる。
【００３３】
《第六の実施形態》
また、第六の実施形態である商品吊下具６０について図６を参照しつつ説明する。図５の商品吊下具５０と類似して本商品吊下具６０では、第一工程で抜き型により切り抜かれた原反６１が実線部６１ａ及び点線部６１ｂの辺で囲まれ、左右方向の中心の幅が大きく左右両外側に向かって幅狭になる略帯状の外形であることがわかる。 
【００３４】
また同時に外形６１から内側に吊下用切抜部６２と引掛部６３とが切り抜かれている。吊下用切抜部６２は、図１、図５等の吊下用切抜部１２、５２と略同様の位置、形状、機能を有している。また、引掛部６３は、左右方向両側にはそれぞれ互いに左右対称に１対の、第一引掛部６３ａと第二引掛部６３ｂとで形成されている。第一引掛部６３ａは、外形６１の上縁部の左右方向両側で底の浅い凹状に切り抜かれている。第二引掛部６３ｂは、外形６１の第一引掛部６３ａそれぞれの直下の下縁部に設けられ、その根元部６３ｂ１が外形６１の下縁部から上方に延びて途中の中間部６３ｂ２で左右外側に略直角に屈曲して先端部６３ｂ３まで延びる略Ｔ字形状を有している。この２対の引掛部６３（第一引掛部６３ａ及び第二引掛部６３ｂ）に被服インナーの肩紐や袖部を引っ掛けて吊り下げるように用いられる。
【００３５】
《第七の実施形態》
また、第七の実施形態である商品吊下具７０について図７を参照しつつ説明する。図６の商品吊下具６０と類似して本商品吊下具７０では、抜き型により切り抜かれる外形７１が実線部７１ａ及び点線部７１ｂの辺で囲まれ、上縁部が上円弧状であり下縁部が直線状の輪郭形状であることがわかる。
【００３６】
同時に外形７１から内側に吊下用切抜部７２と引掛部７３とが切り抜かれている。吊下用切抜部７２は、その根元部７２ａが外形１１の上縁部の左右方向の中間部の左側から下方に所定距離延びながら途中の中間部７２ｂで下円弧状に右方向に曲がって最下点を経由して再び上昇して外形７１の上縁部中央部直下の位置の先端部７２ｃまで延びる略同幅の下半円弧形状を形成している。
【００３７】
また、引掛部７３は、図６と同様に左右方向両側にはそれぞれ互いに左右対称に１対の、第一引掛部７３ａと第二引掛部７３ｂとで形成されている。第一引掛部７３ａは、外形７１の上縁部の左右方向両側で底の浅い凹状に切り抜かれている。第二引掛部７３ｂは、外形７１の第一引掛部７３ａよりさらに外側に設けられ、略同幅で内側斜め下方に溝状に延びる形状を有している。この２対の引掛部７３（第一引掛部７３ａ及び第二引掛部７３ｂ）に被服インナーの肩紐や袖部を引っ掛けて吊り下げるように用いられる。
【００３８】
《第八の実施形態》
また、第八の実施形態である商品吊下具８０について図８を参照しつつ説明する。本商品吊下具８０は、抜き型により切り抜かれた外形８１が実線部８１ａ及び点線部８１ｂの辺で囲まれる左右方向に長い略長方形の帯状の輪郭形状であることがわかる。
【００３９】
また、外形８１の切り抜きと同時に外形８１から吊下用切抜部８２と引掛部８３とが切り抜かれている。吊下用切抜部８２は、上述してきた吊下用切抜部１２等とは逆方向に曲がっており、具体的にはその根元部８２ａが外形８１の上縁部の中間部の右側から下方に所定距離延びて中間部８２ｂで左方向略直角に曲がって進行して、さらに略直角に曲がって上昇して先端部８２ｃに到達する釣り針類似形状を形成している。
【００４０】
また、引掛部８３は、原反８１の上縁部には左右方向両外側から中央に向かって順にそれぞれ互いに左右対称に１対の、第一引掛部８３ａ、第二引掛部８３ｂ、第三引掛部８３ｃが形成されている。第一引掛部８３ａは、外形８１の底の浅い略台形の凹部が形成されるように切り抜かれている。その内側隣りに設けられる第二引掛部８３ｂ及び第三引掛部８３ｃは、それぞれ斜め内側下方に延びる互いに並列する溝形状であり、第二引掛部８３ｂが第三引掛部８３ｃより長く延びている。第三引掛部８３ｃはその根元が一旦斜め外側下方に進行し、内側に屈曲して斜め内側下方に延びる形状を有している。また、第四引掛部８３ｄはそれぞれ、外形８１の左右縁部から下縁部に繋がる角部に設けられ、底部が斜め下方内側に延びる凹部を形成するように切り抜かれている。さらに、第五引掛部８３ｅはそれぞれ外形８１の下部８１ｃの左右両側部に略長方形の孔として切り抜かれている。以上の５対の引掛部８３（第一引掛部８３ａ、第二引掛部８３ｂ、第三引掛部８３ｃ、第四引掛部８３ｄ及び第五二引掛部８３ｅ）に主としてブラジャーやキャミソールの肩紐や袖部を引っ掛けて吊り下げるように用いられる。
【００４１】
《第九の実施形態》
また、第九の実施形態である商品吊下具９０について図９を参照しつつ説明する。本商品吊下具９０も、図８の商品吊下具８０と同様に抜き型により切り抜かれた外形９１が実線部９１ａ及び点線部９１ｂの辺で囲まれる左右方向に長い略長方形の帯状の輪郭形状であることがわかる。
【００４２】
同時に外形９１から吊下用切抜部９２と引掛部９３とが切り抜かれている。吊下用切抜部９２は、図１、図３〜図６の吊下用切抜部１２等と略同様の位置、形状、機能を有している。また、引掛部９３は、外形９１の上縁部の左右方向両側にそれぞれ互いに左右対称に１対に形成されており、その根元部９３ａが外形９１の上縁部から下方（内側）に延びて途中の中間部９３ｂで左右両外側に略直角に屈曲して先端部９３ｃまで延びる略逆Ｔ字形状を有している。この１対の引掛部９３に主としてブラジャーやキャミソールの肩紐や袖部を引っ掛けて吊り下げるように用いられる。
【００４３】
《第十の実施形態》
また、第十の実施形態である商品吊下具１００について図１０を参照しつつ説明する。本商品吊下具１００は、抜き型により切り抜かれた外形１０１が実線部１０１ａ及び点線部１０１ｂの辺・曲線で囲まれる輪郭形状であるが、図１〜図９の商品吊下具１０等と大きく相違し、左右方向に長い略長方形の帯状の上部１０１ｄとその左右方向中央位置に略下半円形状の下部１０１ｃとが結合しており、略下半円形の両側方に鍔形状を突出したような形状であることがわかる。
【００４４】
この外形１０１の形成と同時に外形１０１から吊下用切抜部１０２と引掛部１０３とが切り抜かれている。吊下用切抜部１０２は、図１、図３〜図６の吊下用切抜部１２等と略同様の位置、形状、機能を有している。但し、後述するように吊下用切抜部１０２は左側の引掛部１０３ａと繋がって上方に開放している。
【００４５】
また、引掛部１０３は、外形１０１の上縁部の左右方向両側でそれぞれ設けられた１対の第一引掛部１０３ａと、外形１０１の下部１０１ｃの両側部でそれぞれ設けられた１対の第二引掛部１０３ｂとで構成されている。第一引掛部１０３ａは、左右両方とも、その根元部１０３ａ１が原反１０１の上縁部から一旦、下方に進行した後に外側に略直角に屈曲して直線状に延びて端部１０３ａ２に繋がる形状を有するが、左側の第一引掛部１０３ａについてその根元部１０３ａ１の右側と上記吊下用切抜部１０２の根元左側とが連結切抜部１０５で繋がって切り抜かれていることがわかる。吊下用切抜部１０２と引掛部１０３とを外形１０１から切り抜いた設計をする際に吊下用切抜部１０２と第一引掛部１０３の根元が近づく部分は切り抜き後に細幅の突出部分となり、この突出部分の強度側が弱いため予め切り抜いておく方が望ましい。また、第二引掛部１０３ｂは、外形１０１の下半円状の下部１０１ｃの根元側（上方側）の径方向外側から内側水平に設けられた所定幅の切り込みである。これら２対の引掛部１０３（第一引掛部１０３ａ及び第二引掛部１０３ｂ）に主としてベビー用エプロンを引っ掛けて吊り下げ、その本体表面を前後方向に下部１０１ｃで担持するように用いられる。
【００４６】
《第十一の実施形態》
また、第十一の実施形態である商品吊下具１１０について図１１を参照しつつ説明する。本商品吊下具１１０、抜き型により切り抜かれたる外形１１１が実線部１１１ａ及び点線部１１１ｂの辺・曲線で囲まれ、上部１１１ｄの左右両側が斜め下方に傾斜する図１０の原反１０１類似の輪郭形状であることがわかる。
【００４７】
外形１１１の切り抜きと同時に外形１１１の縁部から内側に吊下用切抜部１１２と引掛部１１３とが切り抜かれている。吊下用切抜部１１２は、図１０の吊下用切抜部１０２と同様の位置、形状、機能を有しており、吊下用切抜部１１２は左側の引掛部１１３ａと繋がって上方に開放している。
【００４８】
また、引掛部１１３も、図１０の引掛部１０３と同様の構成・機能であり、外形１１１の上縁部の左右方向両側でそれぞれ設けられた１対の第一引掛部１１３ａと、外形１１１の下部１１１ｃの両側部でそれぞれ設けられた１対の第二引掛部１１３ｂとで構成されている。左側の第一引掛部１１３ａの根元部の右側と吊下用切抜部１１２の根元左側とは繋がって上方に開放されている。また、第二引掛部１１３ｂは、外形１１１の下半円状の下部１１１ｃの根元側（上方側）の径方向外側から内側水平に設けられた所定幅の切り込みを形成している。これら２対の引掛部１１３（第一引掛部１１３ａ及び第二引掛部１１３ｂ）に主としてベビー用エプロンを引っ掛けて吊り下げ、その本体表面を前後方向に下部１１１ｃで担持するように用いられる。
【００４９】
《第十二の実施形態》
また、第十二の実施形態である商品吊下具１２０について図１２を参照しつつ説明する。本商品吊下具１２０は、上述してきた商品吊下具と同様に抜き型により切り抜かれた外形１２１が実線部１２１ａ及び点線部１２１ｂの辺・曲線で囲まれる外形であり、外形１２０は左側から右側に向かって上下方向の幅が幅狭〜幅広〜幅狭〜幅広と緩やかに変化するクジラ類似形状（左側を頭部とする）の輪郭形状であることがわかる。
【００５０】
これと同時に外形１２１から吊下用切抜部１２２と引掛部１２３とが切り抜かれている。吊下用切抜部１２２は、図１の吊下用切抜部１２と左右向きが逆の形状であり、その根元部１２２ａが原反１２１の上縁部の中央部の右側の位置から斜め左下方に延びながら途中の中間部１２２ｂの最下点で略直角に屈曲して再び上昇して外形１２１の左右中心に位置する先端部１２２ｃまで略同幅で延びる下向きの山形形状を形成している。
【００５１】
また、引掛部１２３は、外形１０１の両側部の下方に左右１対に設けられている。引掛部１２３は、その根元部１２３ａが外形１２１の側縁部から内側に水平進行した後に下方にオフセットして先端部１２３ｂに繋がって延びる形状を有している。この引掛部１２３に主として子供用衣服を引っ掛けて吊り下げるように用いられる。
【００５２】
《第十三の実施形態》
また、第十三の実施形態である商品吊下具１３０について図１３を参照しつつ説明する。本商品吊下具１３０は、図１２の商品吊下具１２０と同様に抜き型により切り抜かれた略輪郭である外形１３１が実線部１３１ａ及び点線部１３１ｂの曲線で囲まれる上半円弧で略同幅の帯状外形であることがわかる。
【００５３】
また、これまで同様、外形１３１から内側に吊下用切抜部１３２が切り抜かれている。吊下用切抜部１３２は、幅広である点を除いて図１２の吊下用切抜部１２２と類似の形状である。また、この例では引掛部が切り抜かれておらず、代替えとして中央を頂部として左右に下がった略上円弧形状となる外形１３１の上縁部１３２が引掛部として機能し、主として子供用衣服を引っ掛けて吊り下げるように用いられる。
【００５４】
以上、本考案における商品吊下具についての実施形態およびその概念及び周辺技術について説明してきたが本考案はこれに限定されるものではなく特許請求の範囲および明細書等に記載の精神や教示を逸脱しない範囲で他の変形例、改良例が得られることが当業者は理解できるであろう。
【符号の説明】
【００５５】
１０，２０，３０，４０，５０，６０，７０，８０，９０，１００，１１０，１２０，１３０  …商品吊下具
１１，２１，３１，４１，５１，６１，７１，８１，９１，１０１，１１１，１２１，１３１…外形
１１ａ，２１ａ，３１ａ，４１ａ，５１ａ，６１ａ，７１ａ，８１ａ，９１ａ，１０１ａ，１１１ａ，１２１ａ，１３１ａ…実線部
１１ｂ，２１ｂ，３１ｂ，４１ａ，５１ｂ，６１ｂ，７１ｂ，８１ｂ，９１ｂ，１０１ｂ，１１１ｂ，１２１ｂ，１３１ｂ…点線部
１１ｃ，２１ｃ，３１ｃ，４１ｃ，８１ｃ，１０１ｃ…下部
１０１ｄ…上部
１２，２２，３２，４２，５２，６２，７２，８２，９２，１０２，１１２，１２２…吊下用切抜部
１２ａ，２２ａ，７２ａ，８２ａ，１２２ａ…根元部
１２ｂ，２２ｂ，７２ｂ，８２ｂ，１２２ｂ…中間部
１２ｃ，２２ｃ，７２ｃ，８２ｃ，１２２ｃ…先端部
１３，２３，３３，４３，５３，６３，７３，８３，９３，１０３，１１３，１２３…引掛部
１４…中心点
２３ａ…切抜部
２３ｂ…切込部
２３ｃ…凹み部
３３ａ１…第一引掛部
３３ａ２…第二引掛部
３３ａ３…第三引掛部
３３ａ４…第四引掛部
３３ｂ，１２３ａ…根元部
３３ｃ，１２３ｂ…先端部
４３ａ，１０３ａ，１１３ａ…第一引掛部
４３ｂ，１０３ｂ，１１３ｂ…第二引掛部
５３ａ，９３ａ…根元部
５３ｂ，９３ｂ…中間部
５３ｃ，９３ｃ…先端部
６３ａ…第一引掛部
６３ｂ…第二引掛部
６３ｂ１…根元部
６３ｂ２…中間部
６３ｂ３…先端部
７３ａ…第一引掛部
７３ｂ…第二引掛部
８３ａ…第一引掛部
８３ｂ…第二引掛部
８３ｃ…第三引掛部
８３ｄ…第四引掛部
８３ｅ…第五引掛部
１０３ａ１…根元部
１０３ａ２…中間部
１０３ａ３…先端部
１０５…連結切抜部
１０６…一点鎖線
１３１…上縁部（引掛部）
【図１】
0003233189.tif 000003
【図２】
0003233189.tif 000004
【図３】
0003233189.tif 000005
【図４】
0003233189.tif 000006
【図５】
0003233189.tif 000007
【図６】
0003233189.tif 000008
【図７】
0003233189.tif 000009
【図８】
0003233189.tif 000010
【図９】
0003233189.tif 000011
【図１０】
0003233189.tif 000012
【図１１】
0003233189.tif 000013
【図１２】
0003233189.tif 000014
【図１３】
0003233189.tif 000015